(57)【特許請求の範囲】
【請求項１】
映像・音声ソースを外部から入力する入力手段と、
前記入力手段から入力される前記映像・音声ソースを符号化して第１のデータとする第１の符号化手段と、
前記入力手段から入力される前記映像・音声ソースを、前記第１の符号化手段よりも低解像度で符号化して第２のデータとする第２の符号化手段と、
前記第１のデータおよび前記第２のデータを別々にファイル化し、
クリップを構成する、前記第１のデータのファイルと、前記第２のデータのファイルと、前記第１のデータ及び前記第２のデータのファイルに関するファイル情報を含むメタデータファイルとを、記録メディアに記録するとともに、前記クリップを識別するためのクリップ識別情報、及び前記記録メディアを識別するための記録メディア識別情報を、前記メタデータファイルと、前記第２のデータのファイルの末尾とに格納する記録手段と、
を備える記録装置。
【請求項２】
前記第２のデータのファイルフォーマットは、ＭＰ４フォーマットであり、
前記クリップ識別情報は、クリップＵＭＩＤ（Ｕｎｉｑｕｅ  Ｍａｔｅｒｉａｌ  ＩＤｅｎｔｉｆｉｅｒ）であり、
前記記録手段は、前記クリップＵＭＩＤを、前記ＭＰ４フォーマットに含まれるスキップＢｏｘに格納する
ことを特徴とする請求項１記載の記録装置。
【請求項３】
前記記録メディアは、記録メディア毎にユニークなシリアル番号を有し、
前記記録手段は、前記シリアル番号を前記記録メディア識別情報として、前記ＭＰ４フォーマットに含まれるスキップＢｏｘに格納する
ことを特徴とする請求項２に記載の記録装置。
【請求項４】
同一の映像・音声ソースに対して、別々にファイル化された高解像度の第１のデータと、当該第１のデータよりも低解像度の第２のデータとを編集する編集装置であって、
前記第２のデータのファイルを取得する取得手段と、
前記第１のデータのファイルと、前記第２のデータのファイルと、前記第１のデータ及び前記第２のデータのファイルに関するファイル情報を含むメタデータファイルと、で構成されるクリップに関して、当該クリップを識別するためのクリップ識別情報が格納された前記クリップメタデータファイルと前記第１のデータのファイルとが複数記録された記録メディアの中から、前記取得手段によって取得された前記第２のデータのファイルの末尾に含まれる前記記録メディアを識別するための記録メディア識別情報を用いて、記録メディアを特定し、前記第２のデータのファイルの末尾に含まれる前記クリップ識別情報を用いて、前記特定した記録メディア中で当該クリップ識別情報を有する前記第１のデータのファイルを検索する検索手段と、
前記第２のデータのファイルと、前記検索手段によって検索された前記第１のデータのファイルとを関連付けて編集する編集手段と、
を備える編集装置。
【請求項５】
前記第２のデータのファイルフォーマットは、ＭＰ４フォーマットであり、
前記クリップ識別情報は、クリップＵＭＩＤ（Ｕｎｉｑｕｅ  Ｍａｔｅｒｉａｌ  ＩＤｅｎｔｉｆｉｅｒ）であり、前記ＭＰ４フォーマットに含まれるスキップＢｏｘに格納される
ことを特徴とする請求項４記載の編集装置。
【請求項６】
前記記録メディアは、記録メディア毎にユニークなシリアル番号を有し、
前記記録メディア識別情報は、前記シリアル番号であり、前記ＭＰ４フォーマットに含まれるスキップＢｏｘに格納される
ことを特徴とする請求項５記載の編集装置。
【請求項７】
記録装置と、編集装置と、端末装置とを含むデジタルビデオ記録システムであって、
前記記録装置は、
映像・音声ソースを外部から入力する入力手段と、
前記入力手段から入力される前記映像・音声ソースを符号化して第１のデータとする第１の符号化手段と、
前記入力手段から入力される前記映像・音声ソースを、前記第１の符号化手段よりも低解像度で符号化して第２のデータとする第２の符号化手段と、
前記第１のデータおよび前記第２のデータを別々にファイル化し、
クリップを構成する、前記第１のデータのファイルと、前記第２のデータのファイルと、前記第１のデータ及び前記第２のデータのファイルに関するファイル情報を含むメタデータファイルとを、記録メディアに記録するとともに、前記クリップを識別するためのクリップ識別情報、及び前記記録メディアを識別するための記録メディア識別情報を、前記メタデータファイルと、前記第２のデータのファイルの末尾とに格納する記録手段と、
を備え、
前記端末装置は、
前記記録装置から第２のデータのファイルを取得し、当該第２のデータのファイルを編集するとともに、編集内容を示すエディットリストを生成する編集手段と、
前記第２のデータのファイルおよびエディットリストを送信する送信手段と、
を備え、
前記編集装置は、
前記端末装置から前記第２のデータのファイルおよび前記エディットリストを取得する取得手段と、
前記第１のデータのファイルと、前記第２のデータのファイルと、前記第１のデータ及び前記第２のデータのファイルに関するファイル情報を含むメタデータファイルと、で構成されるクリップに関して、当該クリップを識別するためのクリップ識別情報が格納された前記クリップメタデータファイルと前記第１のデータのファイルとが複数記録された記録メディアの中から、前記取得手段によって取得された前記第２のデータのファイルの末尾に含まれる前記記録メディアを識別するための記録メディア識別情報を用いて、記録メディアを特定し、前記第２のデータのファイルの末尾に含まれる前記クリップ識別情報を用いて、前記特定した記録メディア中で当該クリップ識別情報を有する前記第１のデータのファイルを検索する検索手段と、
前記取得手段で取得された前記エディットリストに従って、前記第２のデータのファイルに対応する第１のデータのファイルを編集する編集手段と、
を備えるデジタルビデオ記録システム。
【請求項８】
前記第２のデータのファイルフォーマットは、ＭＰ４フォーマットであり、
前記クリップ識別情報は、クリップＵＭＩＤ（Ｕｎｉｑｕｅ  Ｍａｔｅｒｉａｌ  ＩＤｅｎｔｉｆｉｅｒ）であり、前記ＭＰ４フォーマットに含まれるスキップＢｏｘに格納される
ことを特徴とする請求項７記載のデジタルビデオ記録システム。
【請求項９】
前記記録メディアは、記録メディア毎にユニークなシリアル番号を有し、
前記記録メディア識別情報は、前記シリアル番号であり、前記ＭＰ４フォーマットに含まれるスキップＢｏｘに格納される
ことを特徴とする請求項８記載のデジタルビデオ記録システム。
【発明の詳細な説明】
【技術分野】
【０００１】
本発明は、映像および音声の番組素材を記録および編集するための記録装置、編集装置、デジタルビデオ記録システムに関する。
【背景技術】
【０００２】
従来のビデオ記録システムにおいては、ＶＴＲベースのリニア編集システムに比べてＰＣベースのノンリニア編集システムが、迅速なランダムアクセス性や編集の容易性の面で有効である。特に、近年のＰＣの高性能化および低価格化の進展に伴って、ノンリニア編集システムが一般化している。しかしながら、ＨＤ（Ｈｉｇｈ  Ｄｅｆｉｎｉｔｉｏｎ）ＴＶのような高ビットレートの素材に対応したノンリニア編集システムは高価であり、また、ＳＤ（Ｓｔａｎｄａｒｄ  Ｄｅｆｉｎｉｔｉｏｎ）ＴＶの場合においても、収録現場など編集室の外でノートＰＣを用いて編集作業を行うには、処理速度や素材を保存しておくためのハードディスク等の記録媒体容量の点で不十分である。
【０００３】
このような問題を解決するための一方法として、例えば特許文献１で示されるデジタルビデオ記録システムでは、収録時に、同じ番組ソース素材の内容を第１および第２のフォーマットで、それぞれ相互に関連したタイムコード情報と共に第１および第２の記録媒体に記録する。第１のフォーマットは、第２のフォーマットよりも大きい圧縮率で符号化されており、第１のフォーマットで記録された素材を使ってオフライン編集を行って編集情報を作成し、その編集情報に従って、第２のフォーマットで記録された素材を使って番組の最終の編集版を制作する。これによって、低価格な編集システムが実現される。
【特許文献１】特表平１１−５０７１８４号公報
【発明の開示】
【発明が解決しようとする課題】
【０００４】
しかしながら、上記特許文献１に示すデジタルビデオ記録システムにおいては、高解像度および低解像度の２種類のフォーマットの記録データの関連づけを、「タイムコード情報」で行うため、２種類のフォーマットの記録データをまとめて管理する場合には問題はないが、それらを別々に伝送したり、別々に管理したりすると、タイムコードが全く同じファイルが複数存在する場合があり、高解像度データファイルと低解像度データファイルの対応関係を保つことが困難になり、両方のフォーマットの記録データの関連づけが保証されないという問題がある。また、２種類のデータの編集過程においてユーザが編集のためにタイムコード情報の打ち直し行う場合があり、この場合にも両方のフォーマットの記録データの関連づけが保証されないという問題がある。
【０００５】
また、従来のデジタルビデオ記録システムにおいては、高解像度および低解像度の２種類のフォーマットの記録データの関連づけを、例えば記録装置で機械的に付与される「ファイル名」で行うことがあり、この場合には、この機械的に付与されたファイル名がユーザ編集の過程においてユーザ入力等より変更され、結果として２種類の記録データの対応付けを行うことができないという課題がある。
【０００６】
本発明の目的は、上記課題を解決するものであり、解像度の異なる２種類のフォーマットの記録データを別々に管理しても、その後のユーザ操作等に影響なく、常に２種類の記録データの対応関係を保つことができるデジタルビデオ記録システムを提供することである。
【課題を解決するための手段】
【０００７】
前記従来の課題を解決するために、本発明の記録装置は、映像・音声ソースを外部から入力する入力手段と、前記入力手段から入力される前記映像・音声ソースを符号化して第１のデータとする第１の符号化手段と、前記入力手段から入力される前記映像・音声ソースを、前記第１の符号化手段よりも低解像度で符号化して第２のデータとする第２の符号化手段と、前記第１のデータおよび前記第２のデータを別々にファイル化し、クリップを構成する、前記第１のデータのファイルと、前記第２のデータのファイルと、前記第１のデータ及び前記第２のデータのファイルに関するファイル情報を含むメタデータファイルとを、記録メディアに記録するとともに、前記クリップを識別するためのクリップ識別情報、及び前記記録メディアを識別するための記録メディア識別情報を、前記メタデータファイルと、前記第２のデータのファイルの末尾とに格納する記録手段と、を備える。
【発明の効果】
【００１２】
本発明のデジタルビデオ記録システムは、２種類のフォーマットの記録データを別々に管理しても互いの対応関係を保つことができ、２種類の記録データを用いた素材収録から放送までの時間を短縮することができる。
【発明を実施するための最良の形態】
【００１３】
以下、本発明の実施の形態について、図面を参照しながら説明する。
図１は、本発明の実施の形態におけるデジタルビデオ記録システムを構成する記録装置の機能ブロック図である。図１において、記録装置は、ビデオおよびオーディオデータの入力手段であるビデオ信号入力端子１０１、オーディオ信号入力端子１０２、第１の符号化手段としての第１のエンコーダ１０３、第２の符号化手段としての第２のエンコーダ１０４、バスインターフェース部１０５、制御信号入力部１０６、ＣＰＵ（Ｃｅｎｔｒａｌ  Ｐｒｏｃｅｓｓｉｎｇ  Ｕｎｉｔ）、主記憶１０８、ＲＯＭ１０９、バス１１０、および記録手段としての記録メディアコントローラ１１１を備える。また、記録装置は、ネットワークインターフェース１１２を備え、後述する低レートＡＶデータファイル等が送信されるネットワークに接続される。
【００１４】
記録メディア１１３は半導体メモリカードで、高解像度の本素材ファイル等が記録メディアコントローラ１１１を用いて記録される。また、この記録メディア１１３に固有のシリアル番号は、製造時にメディア内の不揮発性メモリに書き込まれ、ホストからのコマンドに従って読み出すことができる。
【００１５】
図２（ａ）は、本システムで生成されるクリップを構成するファイルの一例である。一つのクリップは、クリップを構成するファイル情報等を示すクリップメタデータファイル２０１と、ビデオデータファイル２０２およびオーディオデータファイル２０３から構成される本素材ファイル２０５と、本素材ファイル２０５よりも低いビットレートでエンコードした低レートＡＶデータファイル２０４とで構成される。これらのファイルのフォーマットは、クリップメタデータファイル２０１はＸＭＬ（ｅＸｔｅｎｓｉｖｅ  Ｍａｒｋ−ｕｐ  Ｌａｎｇｕａｇｅ）で記述されたファイル、本素材ファイル２０５はＭＸＦ（Ｍａｔｅｒｉａｌ  ｅＸｃｈａｎｇｅ  Ｆｏｒｍａｔ）フォーマット、低レートＡＶデータファイル２０４はＭＰ４（ＭＰＥＧ４）フォーマットである。
【００１６】
まず、本素材ファイル２０５について説明する。ビデオおよびオーディオの本素材ファイル２０５は、ＳＭＰＴＥ−３７７Ｍで規格化されているＭＸＦファイルフォーマットに準拠しており、図２（ｂ）で示すように、その先頭から、ファイルヘッダ部２０６（Ｆｉｌｅ  Ｈｅａｄｅｒ）、ファイルボディ部２０７（Ｆｉｌｅ  Ｂｏｄｙ）、ファイルフッダ部２０８（Ｆｉｌｅ  Ｆｏｏｔｅｒ）が順次配置されて構成される。ファイルヘッダ部２０６には、ファイル構成、映像、音声パラメータ等のＭＸＦファイルを再生するために必要なメタデータが格納されており、ファイルボディ部２０７に映像データおよび音声データが格納されている。ファイルフッダ部２０８はファイルの最後を示すデータが格納される。ファイルヘッダ部２０６には、本素材ファイル２０５についてのメタデータが格納される。このメタデータには、出力タイムライン上にビデオとオーディオをどのように再生するかを規定する情報であるマテリアルパッケージと、タイムライン上に出力するクリップの実体を示すための情報でありファイルパッケージがあり、それぞれに対して一つのＵＭＩＤ（Ｕｎｉｑｕｅ  Ｍａｔｅｒｉａｌ  ＩＤｅｎｔｉｆｉｅｒ）と呼ばれる識別子が付加される。すなわち、マテリアルパッケージに対するＵＭＩＤとしてＭＰ−ＵＭＩＤと、ファイルパッケージに対するＵＭＩＤとしてＦＰ−ＵＭＩＤとが付加される。
【００１７】
本素材ファイル２０５を構成するファイルは、ビデオは１クリップにつき１ファイル、オーディオはチャンネル毎に独立のファイルになり、２チャンネル記録の場合は２個のファイルになる。これらのファイルは同一素材を構成するファイルであるためそれぞれのＭＰ−ＵＭＩＤは共通になるが、ＦＰ−ＵＭＩＤはＭＰ−ＵＭＩＤと異なり、かつビデオ、オーディオ、オーディオのチャンネル毎に異なった値をとる。
【００１８】
ＵＭＩＤは、任意のＡＶ素材をグローバルユニークに識別するために、生成された素材に対して付与される識別子であり、ＳＭＴＰＥ−３３０Ｍによってその構成、生成方法が規定されている。ＵＭＩＤは、素材毎にユニークな番号をもつマテリアルナンバーを含む基本ＵＭＩＤ（３２バイト）と、その拡張として素材データの属性情報（日付、場所、ユーザ名等）を付加した拡張ＵＭＩＤ（６４バイト）とに大別される。
【００１９】
また、このＵＭＩＤは、重複しないように生成ルールが規格化されている。本実施の形態においては、このＵＭＩＤを利用することで、他者と素材ファイルを受け渡したときにも、スムーズに素材管理できるようにする。そして、ユーザがその後の管理において、ファイル名やタイムコードを変更してもこの素材管理に対しては影響はないが、ＵＭＩＤを勝手に書き換えることは、素材管理自体ができなくなってしまい、本素材ファイル２０５と低レートＡＶデータファイル２０４とのリンク関係を保つ以前の問題である。本発明は、ＵＭＩＤが正しく付与された素材ファイルを取り扱うことが前提である。
【００２０】
次に、クリップメタデータファイル２０１について説明する。クリップメタデータファイル２０１には、クリップ名、クリップを構成する各ファイル名、クリック先頭のビデオフレームのタイムコード値、クリップの長さ（時間）、ビデオのフレームレートやオーディオのサンプリングレート等の情報、クリップが記録された記録メディアのシリアル番号等が格納される。更に、素材（クリップ）を識別するためのＩＤとして、ＣＬＩＰ−ＵＭＩＤが格納される。なお、ＣＬＩＰ−ＵＭＩＤと、ビデオおよびオーディオのＭＰ−ＵＭＩＤは同じクリップのＩＤとして、共通なＵＭＩＤが設定される。
【００２１】
次に、低レートＡＶデータファイル２０４について説明する。
図３は、本実施の形態における低レートＡＶデータファイル２０４のフォーマットであるＭＰ４ファイルの構造の一例を示した図である。ＭＰ４ファイルフォーマットはＩＳＯ／ＩＥＣ  １４４９６−１／ＡＭＤ６で規格化されている。全ての情報はＢｏｘと呼ばれる構造体に格納されており、多重化されたビデオおよびオーディオビットストリーム（メディアデータ）と、これらメディアデータに対する管理情報（メタデータ）から構成されている。各Ｂｏｘは４文字の識別子でそれぞれのＢｏｘタイプが表される。
【００２２】
ファイルタイプＢｏｘ３０１（ｆｔｙｐ）は、ファイル先頭にあり、ファイルを識別するためのＢｏｘである。メディアデータＢｏｘ３０２（ｍｄａｔ）は、ビデオとオーディオのビットストリームが多重化されて格納されている。ムービーＢｏｘ３０３（ｍｏｏｖ）は、メディアデータＢｏｘに格納されたビットストリームを再生するための管理情報が格納されている。スキップＢｏｘ３０４（ｓｋｉｐ）は、再生時にはスキップＢｏｘ３０４内に格納されているデータを読み飛ばし、スキップするためのＢｏｘである。
【００２３】
本実施例においては、図３に示すように、スキップＢｏｘ３０４内には、この低レートＡＶデータファイル２０４を含むクリップのクリップ名３０８、本素材に付与されているクリップのＵＭＩＤ３０９（ＣＬＩＰ−ＵＭＩＤ）、クリップ先頭フレームのタイムコード値３１０、本素材ファイルが記録された記録メディアのシリアル番号３１１が格納される。なお、本図においては、スキップＢｏｘ３０４に、フリースペース３０５、ユーザデータ３０６、メタデータ３０７も含まれ、また、スキップＢｏｘ３０４内には、ＵＭＩＤ３０９、タイムコード値３１０、シリアル番号３１１のうち少なくともいずれかひとつが記録されるようにしてもよい。
【００２４】
次に、図１に示す記録装置の動作を説明する。
図１において、ビデオ信号入力端子１０１から４：２：２コンポーネントのデジタルビデオ信号が入力される。また、オーディオ信号入力端子１０２からはサンプリング周波数４８ｋＨｚ、１６ｂｉｔで量子化された２チャンネルのデジタルオーディオ信号が入力される。本実施の形態においては、ビデオ信号入力端子１０１から入力されたビデオ信号は、共通の映像ソースとして第１のエンコーダ１０３および第２のエンコーダ１０４に同時に入力され、それぞれによってエンコード処理が行われる。すなわち、第１のエンコーダ１０３および第２のエンコーダ１０４は、同時に同じ映像ソースを入力され、それらをエンコードすることになる。一方、音声信号入力端子１０２から入力された音声信号は、第２のエンコーダ１０４に入力され、エンコード処理が行われる。
【００２５】
第１のエンコーダ１０３は、入力されたビデオ信号をＤＶＣＰＲＯ方式でエンコードする。なお、本実施の形態では入力されたオーディオ信号は第１のエンコーダ１０３ではエンコード処理しないこととしているが、後述する第２のエンコーダ１０４でのビットレートよりも高いビットレートでエンコードする限りにおいて、第１のエンコーダ１０３にてＭＰＥＧ等のフォーマットでエンコードするようにしてもよい。ビデオデータファイルのレートは約２５Ｍｂｐｓ、オーディオデータファイルのレートは、２チャンネル合計で約１．５Ｍｂｐｓである。
【００２６】
第２のエンコーダ１０４は、ビデオはＭＰＥＧ−４方式で、オーディオはＭＰＥＧ２／ＡＡＣ方式でそれぞれ予め設定されたレートになるようにエンコードし、それらを多重化してＭＰ４フォーマットのファイルのうちスキップＢｏｘ以外の部分を生成する。
【００２７】
制御信号入力部１０６からは、記録ＯＮ／ＯＦＦ等のコマンドや、タイムコード、ＵＭＩＤに設定する素材データ属性情報等が入力され、ＣＰＵ１０７はその入力に従って、ＲＯＭ１０９および主記憶１０８（いずれか一方でもよい）に格納されている処理プログラムを実行する。
【００２８】
第１のエンコーダ１０３から出力されたＤＶＣＰＲＯフォーマットのビデオデータと、入力された非圧縮のオーディオデータと、第２のエンコーダ１０４から出力されたＭＰ４ファイルデータ（スキップＢｏｘ以外の部分）はバスインターフェース部１０５において一旦バッファに格納され、ＣＰＵ１０７からの命令に従って主記憶１０８に転送される。
【００２９】
エンコードデータ以外で各ファイルの生成に必要な様々なデータのうち、記録メディア１１３のシリアル番号は、記録処理に先立って予め読み出して主記憶上に格納しておく。ＵＭＩＤ、クリップ名、タイムコード等は制御信号入力部１０６からの設定や、記録開始時にＣＰＵ１０７によって生成する。
【００３０】
主記憶１０８上で、本素材のビデオデータおよびオーディオデータに対しては、ＵＭＩＤ等所定のヘッダおよびフッダを付加してＭＸＦフォーマットのファイルを生成する。低レートＡＶデータファイルデータに対しては、スキップＢｏｘに格納するためのデータを生成して第２のエンコーダ１０４から出力されたファイルの末尾に付加する。さらに、クリップメタデータファイルを生成し、それらのファイルを記録メディア１１３上に書き込む。
【００３１】
図４は、本発明のデジタルビデオ記録システムを用いた編集システムの構成例を示す図である。収録現場では、デジタルビデオ記録システムとしてのカメラレコーダ４０１によって、記録メディア４０２に対して素材をクリップとして収録する。収録したクリップのうちで、本素材ファイルを除いた、メタデータファイルおよび低レートＡＶデータファイルをＰＣ４０３に転送し、本素材ファイルが記録された記録メディア４０２は、放送局に送られる。メタデータファイルと低レートＡＶデータファイルの転送は、例えば図１の構成におけるネットワークインターフェース１１２を介してネットワーク経由で行う。ファイルサイズが小さいため、短時間で転送することができるので、ＰＣ４０３がある場所は、収録現場、放送局、あるいは、別の場所であってもよい。
【００３２】
ＰＣ４０３ではＭＰ４ファイルを再生可能な汎用ビューアを用いて低レートＡＶデータファイルを再生、確認しながら、クリップメタデータファイルにコメント等のデータを付加したり、カット編集等を行ってエディットリストを作成する。エディットリストにおけるカット編集点のタイムコードは、クリップ先頭のタイムコード値を基準に求められる。なお、本素材ファイルのＵＭＩＤや記録メディアのシリアル番号のような特殊なデータは、スキップＢｏｘに格納されているので、汎用のビューアで再生する際に影響を与えない。書き換えられたクリップメタデータファイルや、作成されたエディットリストは、ネットワークを介して放送局に送信される。
【００３３】
放送局の編集装置４０４では、まず記録メディア４０２に記録されている本素材ファイルを全てハードディスクドライブ（ＨＤＤ）に書き込み、データベースに登録する。次に、記録メディア４０２とは別に送られてきたエディットリスト、クリップメタデータファイルおよび低レートＡＶデータファイルをデータベースに登録する。このときクリップメタデータファイルに記録されているＣＬＩＰ―ＵＭＩＤを使って、既に登録されている本素材ファイルから同じＣＬＩＰ−ＵＭＩＤのファイルを検索し、関連づけ処理を行う。ＣＬＩＰ−ＵＭＩＤを使えるようにすることで、人手による確認作業をすることなく機械的に関連付けを行うことができる。データベース登録後、エディットリストに従って本素材ファイルを読み出すことで、高ビットレートの本素材を元に編集されたコンテンツの再生を行うことができる。
【００３４】
図５は、放送局の編集装置４０４の構成図を示している。
ネットワークインターフェース５０１に接続された編集装置４０４は、ＰＣ本体５０２、記録メディアを１個又は複数個マウントできるドライブ等の記録メディアＩ／Ｆ５０３から構成され、記録メディアＩ／Ｆ５０３は、例えばＵＳＢでＰＣ本体５０２に接続されている。
【００３５】
ユーザは、記録メディアを記録メディアＩ／Ｆ５０３にセットして、記録メディアに記録されている本素材ファイルをＰＣ本体５０２の内部のＨＤＤ５０４上にコピーする。また、ＰＣ５０２は、ネットワークインターフェース５０１を介して編集された低レートＡＶデータファイルをダウンロードして、検索部５０５においてＨＤＤ５０４に記録された本素材ファイルとの対応関係をシリアル番号およびクリップＵＭＩＤを用いて検索する。このことにより、編集装置４０４においては、自動的に本素材ファイルと低レートＡＶデータファイルとの編集を行うことができる。
【００３６】
図６は、図５の編集装置４０４において、Ｎ個の記録メディアがＨＤＤ５０４にコピーされた状態の参考図を示している。記録メディア６００内のファイル構造は、同図に示すようにクリップメタデータファイル６０１、ビデオデータファイル６０２、オーディオデータファイル６０３などファイルの種類別に別々のフォルダに分かれて格納されている。
【００３７】
記録メディアをマウントしてファイルコピーする際に、各記録メディアのシリアル番号を読み出して、記録メディアごとのフォルダとシリアル番号の対応表を作成する。
【００３８】
そして、編集装置４０４の検索部５０５においてネットワークＩ／Ｆ５０１から入力された低レートＡＶデータファイルに対して、対応する本素材ファイルを検索するには、スキップＢｏｘ内の記録メディアシリアル番号を読んで記録メディア（フォルダ）を特定する。次にクリップＵＭＩＤを読み、該当する記録メディアのフォルダ内のクリップメタデータファイルを順にサーチして、同一クリップＵＭＩＤを検索する。このようにすることで、検索を効率的に行うことができる。
【００３９】
以上の説明のように、本実施の形態に係るデジタルビデオ記録システムにおいては、本素材ファイルが記録された記録メディアの運送と並行して別の場所で編集作業を行う場合に、低レートＡＶデータファイルのスキップＢｏｘに記録されたクリップＵＭＩＤを用いることで、低レートＡＶデータファイルに対する編集結果と本素材ファイルとの対応関係を常に適切に保つことができる。
【００４０】
また、低ビットレートのＡＶデータファイルと本素材ファイルとの統合をシリアル番号やクリップＵＭＩＤを用いて自動的に行い、放送用の最終的な映像を得ることができるので、素材収録から放送までの時間を短縮することができる。
【００４１】
なお、本素材ファイルのＨＤＤへの書き込み時に、例えば記録メディア毎に別フォルダになるようにしておけば、本素材ファイルを検索して低レートＡＶデータファイル等との関連づけを行う際に、まず記録メディアのシリアル番号に基づいて記録メディア（フォルダ）を特定し、次にそのフォルダ内のファイルに対してのみクリップＵＭＩＤを検索することによって、本素材ファイルの検索とファイル関連づけを効率的に行うことができる。
【００４２】
また、図４では編集作業用のＰＣ４０３と本編集を行う編集装置４０４は別々のものとして説明したが、これらは同じであってもよい。収録現場からは、本素材ファイル以外のファイルを放送局の編集装置４０４にネットワーク経由で伝送し、編集装置４０４ではまず低レートＡＶデータファイルを再生しながら編集作業を行い、後から本素材ファイルが到着したときに低レートＡＶデータファイルを本素材ファイルに置き換えて、最終的な編集作業を行う。この場合も、本素材ファイルが記録された複数の記録メディアの中から、特定の低レートＡＶデータファイルに対応する本素材ファイルを検索する際、まず記録メディアのシリアル番号を用いて記録メディアを特定し、次にその記録メディア内でファイル検索を行えば、素早くファイル検索を行うことができる。
【００４３】
さらに、図４では記録メディア４０２を直接放送局に送る場合について説明したが、ネットワーク経由で本素材ファイルを転送してもよい。本素材ファイルの転送には時間がかかるが、本素材ファイルの転送に先立って低レートＡＶデータファイルを転送しておけば、低レートＡＶデータファイルを使って編集作業が進められるので、同様に編集作業を効率的に行うことができる。
【００４４】
またさらに、低レートＡＶデータファイルは本素材と同一メディアに記録する必要はなく、例えば素材の収録中にネットワーク経由で直接ＰＣ上のＨＤＤに記録したり、あるいは低レートＡＶデータファイル専用の別メディアに記録してもよい。
【００４５】
そして、本実施の形態においては、クリップのファイル構成はクリップメタデータファイル（ＸＭＬフォーマット）、ビデオの本素材ファイル（ＭＸＦフォーマット）、オーディオの本素材ファイル（ＭＸＦフォーマット）、低レートＡＶデータファイル（ＭＰ４フォーマット）の場合について説明したが、ファイルフォーマットやファイル構成はこれに限らず、本素材ファイルと、本素材よりも低ビットレートにて生成された低レートＡＶデータファイルによって構成されていればよい。例えば、本素材ファイルは高ビットレートのＭＰ４ファイルでスキップＢｏｘにファイル固有のＩＤ情報を有し、そのＩＤ情報を低レートＡＶデータファイルに格納する等、様々なフォーマット、ファイル構成に適用することができる。
【産業上の利用可能性】
【００４６】
本発明に係るデジタルビデオ記録システムは、高解像度の第１のデータと低解像度の第２のデータとを別々にファイル化して記録、伝送、管理しても互いのデータの対応関係を適切に保つことができるので、例えば、放送用の映像および音声の番組素材の記録、編集において有用である。
【図面の簡単な説明】
【００４７】
【図１】本発明の実施の形態におけるデジタルビデオ記録システムを構成する記録装置の機能ブロック図
【図２】本発明の実施の形態におけるクリップの構成図
【図３】本発明の実施の形態における低レートＡＶデータファイルの構成図
【図４】本発明の実施の形態における編集システムの構成図
【図５】本発明の実施の形態における放送局の編集装置の構成図
【図６】本発明の実施の形態における編集装置において、Ｎ個の記録メディアがＨＤＤにコピーされた状態の参考図
【符号の説明】
【００４８】
１０３  第１のエンコーダ
１０４  第２のエンコーダ
１０５  バスインターフェース部
１０６  制御信号入力部
１０７  ＣＰＵ
１０８  主記憶
１０９  ＲＯＭ
１１１  記録メディアコントローラ
１１２  ネットワークインターフェース
１１３  記録メディア
２０１  クリップメタデータファイル
２０２  ビデオデータファイル
２０３  オーディオデータファイル
２０４  低レートＡＶデータファイル
２０５  本素材ファイル
３０４  スキップＢｏｘ
３０８  クリップ名
３０９  クリップＵＭＩＤ
３１０  タイムコード先頭値
３１１  記録メディアシリアル番号
４０１  カメラレコーダ
４０２  記録メディア
４０３  ＰＣ
４０４  編集装置
５０１  ネットワークインターフェース
５０２  ＰＣ
５０３  記録メディアＩ／Ｆ
５０４  ＨＤＤ
５０５  検索部
【図１】
0004580929.tif 000002
【図２】
0004580929.tif 000003
【図３】
0004580929.tif 000004
【図４】
0004580929.tif 000005
【図５】
0004580929.tif 000006
【図６】
0004580929.tif 000007